(57)【要約】【課題】  構造が簡単で操作性に優れ、かつ低コスト化を実現する。【解決手段】  光ファイバ接続器１を用いた光ファイバ３，３同士の接続、解除作業に利用される光ファイバ接続工具１１であって、光ファイバ接続器１を支持する支持台１６と、光ファイバ接続器１の素子２に差し込むことでバネの弾性に抗して素子２間を開放する楔１３Ａを支持台１６に支持された光ファイバ接続器１に対して進退させて素子２に挿脱する開放機構１２とを有し、開放機構１２は、楔１３Ａを介して支持台１６とは逆の側に配置されたカム２４と、このカム２４から上方に突出されたレバー２５とを有し、カム２４は、支持台１６に支持した状態における光ファイバ接続器１の中心軸線に沿った回転軸線を持って回転自在に支持されており、レバー２５を回転させることで、このレバー２５と一体回転したカム２４によって楔１３Ａが押圧されて光ファイバ接続器１の素子に押し込まれる。【選択図】    図３
2005134585.tif 000002
【特許請求の範囲】
【請求項１】
光ファイバ（３，３）同士の突き合わせ接続部を二つ割り構造の素子（２，２）に挟み込んで素子に装着されているバネ（４）の弾性によってクランプ固定する光ファイバ接続器（１）を用いた光ファイバ同士の接続作業あるいは接続解除の作業に利用される光ファイバ接続工具（１１）であって、
前記光ファイバ接続器を支持する支持台（１６）と、前記光ファイバ接続器の素子に差し込むことで前記バネの弾性に抗して素子間を開放する楔（１３Ａ）を前記支持台に支持された前記光ファイバ接続器に対して進退させて前記素子に挿脱する開放機構（１２）とを有し、
前記開放機構は、前記楔を介して支持台とは逆の側に配置されたカム（２４）と、このカムから上方に突出されたレバー（２５）とを有し、前記カムは、前記支持台に支持した状態における光ファイバ接続器の中心軸線に沿った回転軸線を持って回転自在に支持されており、前記レバーを前記支持台側あるいはその逆側に回転させることで、このレバーと一体回転した前記カムによって前記楔が押圧されて、前記楔の先端が前記支持台に支持しておいた光ファイバ接続器の素子に押し込まれるようになっていることを特徴とする光ファイバ接続工具。
【請求項２】
前記楔は、光ファイバ接続器に差し込まれる先端部とは逆の後端部に前記光ファイバ接続器に対する進退操作用のレバー（２１）が取付けられたレバー付き楔部品を構成しており、前記開放機構には、前記カムが前記レバー付き楔部品のレバーに対して位置決めして後付けできるようになっていることを特徴とする請求項１記載の光ファイバ接続工具。
【請求項３】
前記楔には、前記カムに連結された係合部材（２７）が係合されており、前記レバーを前記支持台に支持されている光ファイバ接続器への楔の押し込み時とは逆向きに回転させることで、前記カムの回転によって、前記係合部材から伝達される引張り力によって、前記楔が、前記支持台における前記光ファイバ接続器の支持位置から離隔する方向へ移動されるようになっていることを特徴とする請求項１または請求項２記載の光ファイバ接続工具。
【発明の詳細な説明】
【技術分野】
【０００１】
本発明は、光ファイバ同士を突き合わせ接続可能に調心位置決めする光ファイバ接続器を用いて前記光ファイバ同士を突き合わせ接続する光ファイバ接続工具に関する。
【背景技術】
【０００２】
図５，図６いわゆるメカニカルスプライスとも呼ばれる光ファイバ接続器の一例を示す図であり、図５は平面図、図６は同長手方向に沿った縦断面図である。この光ファイバ接続器１は、互いの長手方向を揃えて配置された二つ割り構造の素子２，２と、素子２，２を両側から挟むことにより該素子２，２間に挟持力を付与して光ファイバ（光ファイバ単心線）３，３を挟持、固定するコ字状のバネ４とにより構成されている。一方及び他方の光ファイバ３，３は、素子２，２の長手方向の中央部において、これら光ファイバ３，３の先端の被覆を除去して露出された裸ファイバ３Ａ，３Ａ同士が調心位置決めされた状態で、突き合わせられることで光接続（突き合わせ接続）させる。
【０００３】
素子２，２は、角柱状のベース側素子５と角柱状の蓋側素子６とを組み合わせた構造とされており、蓋側素子６は第１蓋側素子６Ａと、その両側に対向配置された第２蓋側素子６Ｂおよび第３蓋側素子６Ｃの３つに分割されている。ベース側素子５と蓋側素子６Ｂ，６Ｃには、素子２，２の長手方向に延在するＶ溝、Ｕ溝等の案内溝２ａが形成（ここでは、ベース側素子５に形成）され、光ファイバ３は、この案内溝２ａの端部から該案内溝２ａ内に案内されて素子２の長手方向中央部に形成された調心溝２ｃに導かれ、この調心溝２ｃにおいてベース側素子５と蓋側素子６の長手方向両端から挿入された光ファイバ３，３の端面同士が精密に調心位置決めされるようになっている。案内溝２ａは、調心溝２ｃの両側に存在し、光ファイバ３（光ファイバ心線）の被覆部を収納して位置決めするものである。３つの蓋側素子６Ａ，６Ｂ，６Ｃのうち、中央に位置する第１の蓋側素子６Ａは、調心溝２ｃに挿入された裸光ファイバ３Ａ，３Ａをベース側素子５との間に挟みこむものであり、この第２の蓋側素子６Ａの両側の第１の蓋側素子６Ｂ，第３の蓋側素子６Ｃは、案内溝２ａに挿入された光ファイバ３の被覆部をベース側素子５との間に挟み込むものである。
ここで、バネ４は、断面コ字状のものに限定されず、断面Ｃ形のものであってもよい。また、素子２，２は、角柱状のものに限定されず、一体化時に断面円形となる２つ割り構造のものなどであってもよい。また、光ファイバ接続器１としては、単心用のものに限定されず多心用のものもある。
【０００４】
この光ファイバ接続器１では、その長手方向と直交する方向（図５中矢印Ｘの方向）から、例えば、楔（楔）を差し込むことで、この楔によってバネ４の付勢力に抗してベース側素子５と蓋側素子６を互いに離間する方向に押し広げて、素子２，２間を開放できる（図７（ａ），（ｂ）参照）。これにより、光ファイバ接続器１の長手方向側方からの光ファイバ３の挿入、光ファイバ接続器１の長手方向側方への光ファイバ３の引き抜き、あるいは光ファイバ３の交換等の作業が容易に達成される。なお、素子２，２の側面には、素子２，２同士の合わせ面に沿って楔挿入用の開口部２ｂ（凹所）が形成されている。この開口部２ｂは、バネ４の「コ」字形断面の開口部４ａ側に位置しており、楔の圧入にバネが邪魔にならない。
【０００５】
しかしながら、上述した従来の光ファイバ接続器１では、サイズが小さいためベース側素子５と蓋側素子６との間に楔を挿入するには、ベース側素子５と蓋側素子６の合わせ目に対する楔の位置決めに非常に高い精度が要求される。また、光ファイバ接続器１では、光ファイバ３，３同士の突き合わせ接続状態を安定に維持するために、バネ４からベース側素子５と蓋側素子６に作用するクランプ力によって、光ファイバ３，３をしっかりとクランプするようになっているが、このクランプ力は、光ファイバ接続器１に加わる振動や光ファイバ３に作用する引張力などの外力に対して、光ファイバ３，３同士の突き合わせ状態を安定に維持できるものであり、ベース側素子５と蓋側素子６との間に楔を割り込ませるには、ベース側素子５と蓋側素子６との間に楔を強く押し込まねばならず、また、ベース側素子５と蓋側素子６との間から楔を引き取るには、強く引っ張って引き抜く必要がある。前述した押し込み力や引き抜き力の問題に鑑みて、操作力を増力して、楔に伝達する機構を具備する工具も提案されている（例えば、特許文献１〜８参照。）。
【特許文献１】特開平０９−０９６７３５号公報
【特許文献２】特開平０９−１９７１６０号公報
【特許文献３】特開平１０−０１０３５１号公報
【特許文献４】特開平１０−１０４４５６号公報
【特許文献５】特開平１０−３１９２６７号公報
【特許文献６】特開平１０−３１９２６８号公報
【特許文献７】特開２００２−２５８０９３号公報
【発明の開示】
【発明が解決しようとする課題】
【０００６】
特許文献１，２，３記載の光ファイバ接続工具は、操作用のレバーの下方への押し込み力を傾斜面（例えば、特許文献２では図４の符号３５ｂ、特許文献３では図３の符号３５ｂ）で受ける部材（移動台）によって、楔の光ファイバ接続器に対する押し込み力に変換する機構を有するものであり、傾斜面の角度によっては、レバーの下方への押し込み力を増力して楔の押し込み力に変換できるが、構造が複雑であり、しかも光ファイバ接続器に対する楔の位置決め精度や押し込み力の偏在などを防止するために多数の部材について形成精度が要求されるものであり、コストが高くつくといった問題がある。
【０００７】
特許文献４記載の光ファイバ接続工具は、押圧機構（例えば、特許文献４の符号３０参照）に枢着されているレバーの下方への押し込み力を光ファイバ接続器に対する楔押し込み力に変換する構造になっており、レバーがてこのように機能することで下方への押し込み力が増力されて楔の押し込み力として伝達できるようになっているが、この光ファイバ接続工具についても構造が複雑であり、しかも光ファイバ接続器に対する楔の位置決め精度や押し込み力の偏在などを防止するために多数の部材について形成精度が要求されるものであり、コストが高くつくといった問題がある。
【０００８】
特許文献５，６記載の光ファイバの接続工具は、レバーの回転操作による回転軸の回転駆動力を光ファイバ接続器に対する楔の押し込み力に変換する機構（例えば、特許文献５の溝カム機構）を具備するものであり、前述の特許文献１〜４の光ファイバ接続工具に比べて、操作力を楔の押し込み力に変換する機構の部品点数は少なくてすむが、回転軸の回転力を楔の移動に変換する機構の構成部品には、やはり高い形成精度が要求される。
【０００９】
特許文献７記載の光ファイバ接続工具は、偏心カムを利用して操作子（例えば、特許文献７では図１のノブ７８）を回転させ操作力を増力して光ファイバ接続器に対する楔の押し込み力に変換する機構を具備するものである。ただし、楔が取付けられている押圧部材（例えば、特許文献７では押圧部材３２）の押込みレバー（例えば、特許文献７では符号４８）に対して前記偏心カムは、接触部分が非常に小さく、また、カムの回転に伴い、前記接触部分の位置が移動するため、楔から光ファイバ接続器に作用する押圧力は必ずしも光ファイバ接続器に対して均等にならず、光ファイバ接続器に対する押圧力の偏在を確実に防止することは困難であるといった不満があった。
【００１０】
さらに、特許文献１，２，３，４，６記載の光ファイバ接続工具は、いずれも光ファイバ接続器に圧入されている楔を光ファイバ接続器から引き抜きをバネの力によって行っている。このため、レバー操作力を楔の押圧力として増力するといっても引抜き用のバネの付勢力に抗して楔の押込み作業を行うことになり、増力の効果が十分発揮されないという不満がある。つまり、引抜き用のバネには光ファイバ接続器から楔を引き抜くために比較的強い力を要求されるため、この引抜き用のバネの付勢力が楔の押込み時の負荷となってしまう。
また、特許文献５，６記載の光ファイバ接続工具については、回転軸を光ファイバ接続器に対する楔の押込み力や引き抜き力に対して安定に支持するために比較的大型のブラケット（例えば、特許文献５の回転軸ブラケット３６）を要するものであり、工具全体の小型化が難しいものである。
【００１１】
この発明は、このような事情を考慮してなされたもので、その目的は、簡単な構造で押込み力や引き抜き力の増力を実現でき、しかも、光ファイバ接続器に楔を押し込む押し込み力の偏在を回避でき、光ファイバ接続器の調心精度等の機械的特性を安定に保つことができる光ファイバ接続工具を提供することにある。
【課題を解決するための手段】
【００１２】
上記目的を達成するために、この発明は以下の手段を提案している。
請求項１に係る発明は、光ファイバ同士の突き合わせ接続部を二つ割り構造の素子に挟み込んで素子に装着されているバネの弾性によってクランプ固定する光ファイバ接続器を用いた光ファイバ同士の接続作業あるいは接続解除の作業に利用される光ファイバ接続工具であって、前記光ファイバ接続器を支持する支持台と、前記光ファイバ接続器の素子に差し込むことで前記バネの弾性に抗して素子間を開放する楔を前記支持台に支持された前記光ファイバ接続器に対して進退させて前記素子に挿脱する開放機構とを有し、前記開放機構は、前記楔を介して支持台とは逆の側に配置されたカムと、このカムから上方に突出されたレバーとを有し、前記カムは、前記支持台に支持した状態における光ファイバ接続器の中心軸線に沿った回転軸線を持って回転自在に支持されており、前記レバーを前記支持台側あるいはその逆側に回転させることで、このレバーと一体回転した前記カムによって前記楔が押圧されて、前記楔の先端が前記支持台に支持しておいた光ファイバ接続器の素子に押し込まれるようになっていることを特徴とする光ファイバ接続工具である。
請求項２に係る発明は、前記楔は、光ファイバ接続器に差し込まれる先端部とは逆の後端部に前記光ファイバ接続器に対する進退操作用のレバーが取付けられたレバー付き楔部品を構成しており、前記開放機構には、前記カムが前記レバー付き楔部品のレバーに対して位置決めして後付けできるようになっていることを特徴とする光ファイバ接続工具である。
請求項３に係る発明は、前記楔には、前記カムに連結された係合部材が係合されており、前記レバーを前記支持台に支持されている光ファイバ接続器への楔の押し込み時とは逆向きに回転させることで、前記カムの回転によって、前記係合部材から伝達される引張り力によって、前記楔が、前記支持台における前記光ファイバ接続器の支持位置から離隔する方向へ移動されるようになっていることを特徴とする光ファイバ接続工具である。
【発明の効果】
【００１３】
本発明によれば、レバー操作による力を簡単な構造により光ファイバ接続器に対する楔の押込み力に変換するので、各部品を簡易に作成することができるとともに部品点数も少なくなり、低コスト化の実現ができる。また、レバー操作による力を光ファイバ接続器の素子間に対する楔の押込み力に変換できるので、押込み作業を簡単に行うことができる。簡単な構造で押込み力や引き抜き力の増力を実現でき、しかも、光ファイバ接続器に楔を押し込む押し込み力の偏在を回避でき、光ファイバ接続器の調心精度等の機械的特性を安定に保つことができるまた、構造が単純であることなどから、光ファイバ接続工具の小型、軽量化も実現できる。これに伴い、携帯性に優れた光ファイバ接続工具を提供することができる。
【発明を実施するための最良の形態】
【００１４】
以下、図面を参照し、この発明の実施の形態について説明する。
図１は本発明の単心線用の光ファイバ接続工具を示す平面図、図２は図１のＡ−Ａ線断面図、図３は図１のＢ−Ｂ線断面図、図４は図１のＢ−Ｂ線断面図であり、これらの図において、図５、図６と同一の構成要素には同一の符号を付し説明を省略する。
図１において、符号１２は開放機構であり、符号１６は光ファイバ接続器１を支持する支持台、符号１７は支持台１６の両側に設けられて光ファイバ３，３を互いに突き合わせた状態で固定する光ファイバホルダ１８を着脱自在に保持するホルダ載せ台である。この光ファイバ接続工具１１は、板状のベース１９上に、開放機構１２、支持台１６及びホルダ載せ台１７を搭載した構造になっている。
【００１５】
開放機構１２は、光ファイバ接続器１の開口部２ｂに向けて押圧し素子２，２間に差し込むレバー付き楔部品１３を摺動自在に支持する楔支持部４６と、この楔支持部４６に取付けられたカムアタッチメント１２Ａとから構成されている。板状の楔支持部４６は、支持台１６の一部である楔支持台２０と、この楔支持台２０上に取り付けた蓋部材４５との間に、レバー付き楔部品１３の楔１３Ａの板状の板状部１３Ｂを挟み込んで支持したものであり、支持台１６上に支持した光ファイバ接続器１に対して進退動できるようにスライド移動可能に支持している。カムアタッチメント１２Ａは、楔支持台２０上にネジ２３ｂにより固定される支持フレーム部材２３にカム付き操作レバー２２をカム付き操作レバー軸部２６を通して回転自在に支持した構成になっている。すなわち、図３（ａ）（ｂ）に示すように、このカム付きアタッチメント１２Ａは、支持フレーム部材２３に取付片２３ａが形成されており、この取付片２３ａを蓋部材４５上に重ね、取付片２３ａ及び蓋部材４５に貫通させて楔支持台２０に締め付けられるネジ２３ｂによって光ファイバ接続工具１１に固定されるものである。なお、取付片２３ａを固定する固定対象部材は蓋部材４５に限定されず、楔支持部４６のどの部材であっても良い。また、図１，図３（ａ）（ｂ）以外の図では、取付片２３ａの図示を略している。
このカム付き操作レバー２２は、光ファイバ接続器１の中心軸線に沿った回転軸線を有する支持フレーム部材軸部２６に支持されていることにより、支持台１６側あるいはその逆側（支持台１６に離間する側）に向けて回転自在とされている。なお、このカムアタッチメント１２Ａは、支持台１６にネジ２３ｂにより着脱自在とされていることにより、光ファイバ接続工具１１に対して後付が可能である。従って、従来の光ファイバ接続工具にも装着可能である。また、カムアタッチメント１２Ａの固定箇所は支持台に限るものではなく、ベースに固定しても良い。
【００１６】
図３に示すようにこのレバー部２５とこのカム付き操作レバー２２を回転支持するカム付き操作レバー軸部２６との距離が偏心カム２４のレバー２１と接する外周面２４ａとカム付き操作レバー軸部２６との距離よりも離れていることにより、てこの構造とされているので、レバー部２５に加えられた押し込み力を増力してレバー２１に伝達することができる。図１及び図４に示すように係合フレーム部材２７は、偏心カム２４に設けられた係合フレーム部材軸部２８を介してカム付き操作レバー２２に支持されており、板状の部材を両端で略直角に折り曲げた形状とされ、第１の板部２９と、第２の板部３０と、第３の板部３１とから構成されている。第２の板部は、カム付き操作レバー２２を支持台１６に対して逆側に操作した際、第２の板部３０の係合面３０ａとレバー２１とが引っ掛かることにより係合される。
【００１７】
楔１３Ａは、縦断面が楔形状かつ横断面が矩形状の複数の刃体１４が一体に形成されたものであり、レバー付き楔部品１３のレバー２１にネジ（図示しない）に締付けられることにより固定されている。楔１３Ａの刃体１４は、光ファイバ接続器１の長手方向と直交する方向から開口部２ｂを通して素子２，２間に差し込まれた際に、バネ４の付勢力に抗して素子２，２同士を互いに離間する方向に押し広げるものであり、開口部２ｂの数に合わせて（本実施の形態では４本）形成されている。
【００１８】
図１及び図２に示すように、支持台１６は、ベース１９の中央部に設けられている。支持台１６の上部には、光ファイバ接続器１を載置するための接続器収納溝３１が形成されている。ここでは、光ファイバ接続器１は、素子２，２の開口部２ｂ及び素子２，２を付勢するバネ４の開口部４ａが楔１３Ａに対向するようにして接続器収納溝３１に載置され、接続器収納溝３１の内面形状によって接続器収納溝３１内に安定した状態で支持される。なお、素子２，２の開口部２ｂは、接続器収納溝３１よりも上に位置され、素子２，２間への楔１３Ａの挿脱作業に支持台１６が邪魔にならないようになっている。
【００１９】
図１及び図２に示すように楔支持台２０には、楔１３Ａを摺動させるための摺動溝４３が形成されており、この摺動溝４３の底面は、楔１３Ａが光ファイバ接続器１に対して差し込み、引き抜き方向に摺動する摺動面４４とされている。即ち、図２に示すように、楔支持台２０と、この楔支持台２０上に固定して前記摺動溝４３上に被せるようにして配置された蓋部材４５とによって、楔支持部４６を構成するものである。楔１３Ａは、横方向（図２の左右方向）に摺動溝４３の両側（図２の左右両側）の摺動溝壁部４３Ａ，４３Ｂにガイドされつつ接続器収納溝４１に対して進退動されるようになっている。
【００２０】
図１に示すように支持台１６のホルダ載せ台１７と対向する側には、一対の突起部４２が設けられている。この突起部４２は、保持している光ファイバ３が光ファイバ接続器１に挿入されるところに位置する光ファイバホルダ１８の先端部１６Ａと当接することにより、光ファイバホルダ１８をホルダ載せ台１７に押さえ込むとともに、光ファイバホルダ１８の支持台１６方向の移動を規制するものである。
【００２１】
ホルダ載せ台１７は、第１のレール部材５１と、第１のレール部材５１の両端側に配置された第２のレール部材５２と、ストッパ５３とから構成されている。ストッパ５３は、光ファイバ接続工具１１の長手方向に対向するように配置されたもう一方のストッパ５３とバネ部材（図示しない）により接続されるものであり、ストッパ５３には、バネ部材により光ファイバホルダ１８の底面に形成された凹部（図示しない）に付勢力を与える。
【００２２】
この光ファイバ接続工具１１を用いて光ファイバ３同士を突き合わせ接続するには、まず、この光ファイバ接続工具１１を横置き（ベース１９下面が横方向となる向き）し、光ファイバ接続器１を支持台１６の接続器収納溝４１に載置することで、光ファイバ接続器１を保持・固定する。これにより、光ファイバ接続器１は支持台１６の所定位置に所定の向きで保持されることになる。
【００２３】
次いで、図３に示すようにカムアタッチメント１２Ａを作動させることにより楔１３Ａを光ファイバ接続器１の素子２，２間に差し込む。つまり、図３（ａ）に示すように、カム付き操作レバー２２のレバー部２５を掴み、カム付き操作レバー２２を支持台１６側に向けて押し込み操作する。カム付き操作レバー２２は、カム付き操作レバー軸部２６を中心に回転自在とされていることにより、支持台１６側に回転し、偏心カム２４も、カム付き操作レバー軸部２６を中心に回転（図３（ａ）中の回転方向Ｔ１）する。そして、偏心カム２４の外周面２４ａとレバー２１とが接し、偏心カム２４の変位によって回転力をレバー２１への押し込み力に変換して、外周面２４ａと接するレバー２１を光ファイバ接続器１に向けて移動させる。なお、カム付き操作レバー２２を回転操作しても、偏心カム２４とレバー付き楔部品２２（具体的にはレバー２１）との接触位置が変わることはない。すなわち、レバー付き楔部品２２の後端（具体的にはレバー２１）と偏心カム２４とは、偏心カム２４の軸方向に沿った長い接線を以って接するようになっており（実施形態では、偏心カム２４が該偏心カム２４の軸方向の略全長に渡ってレバー２１と接する）、カム付き操作レバー２２を操作しても接触部分との位置、大きさは変化しない。このため、光ファイバ接続器１の軸方向において、押し込み力が異なってしまう（偏在）現象を防止できる。
【００２４】
そして、図３（ｂ）に示すようにレバー２１と連結されている楔１３Ａが光ファイバ接続器１側に押し込まれ、楔１３Ａの刃体１４が光ファイバ接続器１の長手方向と直交する方向から開口部２ｂを通して素子２，２間に差し込まれる。このとき、素子２，２を付勢しているバネ４の付勢力は非常に強いものであるが、レバー部２５がカム付き操作レバー２２の回転中心となるカム付き操作レバー軸部２６との距離が偏心カム２４のレバー２１と接する外周面２４ａとカム付き操作レバー軸部２６との距離と比べて離れている。この構造により、レバー部２５に加えられた力を増力して楔１３Ａに対する押し込み力に変換し、刃体１４を素子２，２の間に挿入するので、比較的軽い力で素子２，２間に楔１３Ａを差し込むことができる。その結果、バネ４の付勢力を抗して素子２，２同士を互いに離間する方向に押し広げ、素子２，２間に光ファイバ３を挿入可能な状態とする。
【００２５】
次いで、図１に示すように、光ファイバ３を固定した１対の光ファイバホルダ１８を、それぞれ支持台１６の両側に設けられているホルダ載せ台１７に載置し、光ファイバ接続器１の長手方向にスライド移動させる。そして、光ファイバ３の光ファイバホルダ１８から突出させておいた部分を光ファイバ接続器１の長手方向の両端部から素子２，２間に挿入し、光ファイバ３先端に露出させておいた裸ファイバ３Ａ，３Ａ同士を調心溝２ｃにて互いに突き合わせる。この状態を維持したまま、カム付き操作レバー２２を支持台１６より離間する方向に操作する。即ち、図４（ａ）において、支持台１６より離間する側（図４（ａ）中の回転方向Ｔ２）に向けてカム付き操作レバー２２を押し倒す。すると、カム付き操作レバー２２の係合フレーム部材軸部２８に連結されている係合フレーム部材２７が支持台１６とは逆の方向に引っ張られ、係合フレーム部材２７の第２の板部３０がレバー２１と接する。そして、図４（ｂ）に示すようにレバー２１も、支持台１６から離間する方向の引張力が作用している係合フレーム部材２７によって引張られて、楔１３Ａに引き抜き力を作用させて楔１３Ａの刃体１４を素子２，２から離間させる。このとき、カム付き操作レバー２２と係合フレーム部材２７とがてこの構成とされていることにより、カム付き操作レバー２２に作用する押し込み力を増力して引き抜き力に変換することになるので、レバー２１に引抜き力を与えて楔１３Ａの刃体１４を素子２，２間より引き抜くことができる。この結果、楔を直接手で引き抜く場合に比して軽い力で楔を引き抜くことができる。
【００２６】
楔１３Ａの刃体１４が光ファイバ接続器１から引き抜かれると、光ファイバ３の裸ファイバ同士は調心かつ突き合わされた状態でバネ４の付勢力により保持・固定される。このように、本実施形態の光ファイバ接続工具１１を用いて光ファイバ３同士を突き合わせ接続することができる。そして、接続された光ファイバ３を光ファイバホルダ１８から取り出し、光ファイバ接続器１を接続器収納溝４１から取り出す。また、光ファイバホルダ１８をホルダ載せ台１７から取り外すには、光ファイバホルダ１８を接続器収納溝４１と逆側（接続器収納溝４１より離間する側）にスライド移動させて突起部４２との押さえ込みを解除し、その後ホルダ載せ台１７から浮かせる。これにより、ストッパ５３の固定が解除されて、光ファイバホルダ１８をホルダ載せ台１７より取り外すことができる。
【００２７】
本実施形態の光ファイバ接続工具１１によれば、レバー操作による力を簡単な構造により光ファイバ接続器に対する楔の押込み力や引抜き力に変換するので、各部品を簡易に作成することができるとともに部品点数も少なくなり、低コスト化の実現ができる。また、てこの構造によりレバー操作による力を増力して、光ファイバ接続器に対する楔の押込み力や引抜き力に変換できるので、軽い力で楔の押込みや引抜き作業を行うことができる。すなわち、楔の押し込みや引き抜き作業を片手で行うことができる（例えば、一方の手でカム付き操作レバー２２を操作し、他方の手で光ファイバ接続工具１１を押えることができる）ので、作業効率を向上させることができる。また、従来のように複雑な機構を用いることなく増力を実現していることにより、構造が単純なので、光ファイバ接続工具の小型、軽量化も実現可能となる。これにより、携帯性及び作業性に優れた光ファイバ接続工具を提供することができる。また、開放機構の後付けが可能であることから、従来のレバー付き楔部品を有する光ファイバ接続工具にも簡単に取付けることができるので、利便性を向上させることができる。
本実施形態の光ファイバ接続工具１１によれば、摺動溝３３の摺動面３４に楔１３を載置した状態で、蓋部材４１の底面４３と楔１３との間にクリアランス４４が形成されることにより、楔１３を揺動（または傾動）させて開口部２ｂに差し込むことができるので、従来の光ファイバ接続工具のような高精度の部品を必要とせず、構造を簡単化でき、低コスト化を実現した光ファイバ接続工具１１を提供することができる。
また、揺動支持部４２によりレバー付き楔部品１２を支持台１４に対して進退させるだけの簡単な操作で、光ファイバ３，３同士の調心及び突き合わせ接続を行うことができるので、操作性が向上し、作業効率を向上させることができる。
【００２８】
なお、本発明は上記の実施の形態に限定されず、種々の変更が可能である。
光ファイバ接続器１、光ファイバホルダ１８としては、単心用のものに限定されず多心用のものであっても良い。多心の光ファイバ接続器の場合は、バネのクランプ力が強いものが多いため、本発明の光ファイバ接続工具の使用により、素子の開放を無理な押し込み力によって素子を傷めることなく円滑に行える作用効果が特に有効に機能する。
光ファイバ３としては、単心あるいは多心の各種のものが採用可能であり、単心の光ファイバ線以外、例えば光ファイバ素線、光ファイバコード等でも良く、また、光ファイバ心線等としては多心のものでも良い。
光ファイバ接続器としては、例えば、光コネクタに組み付けられたものなどであっても良い。これは、いわゆる現場付け光コネクタであり、光ファイバ接続器は、フェルールの後端側（突き合わせ接続用の端面とは逆側）に設けられ、フェルールに内挿固定されている光ファイバのフェルール後端側に突出した部分を収容し、このフェルール側の光ファイバと、別途、該光ファイバ接続器に、フェルールとは逆の側から挿入される光ファイバとの突き合わせ接続部をクランプ固定するものである。この場合、光ファイバ接続工具の支持台は、光コネクタ（現場付け光コネクタ）の安定支持に適した構造の接続器収納溝を有する構成とする。
【図面の簡単な説明】
【００２９】
【図１】本発明の単心線用の光ファイバ接続工具を示す平面図である。
【図２】図１のＡ−Ａ線に沿う断面図である。
【図３】図１のＢ−Ｂ線に沿う断面図である。
【図４】図１のＢ−Ｂ線に沿う断面図である。
【図５】従来の単心線用の光ファイバ接続器の一例を示す平面図である。
【図６】同長手方向に沿った縦断面図である。
【図７】光ファイバ接続器の拡大断面図である。
【符号の説明】
【００３０】
１…光ファイバ接続器、２…素子、３…光ファイバ、４…バネ、１１…光ファイバ接続工具、１２…開放機構、１３Ａ…楔、１６…支持台、２１…レバー、２４…カム（偏心カム）、２５…レバー（レバー部）、２７…係合部材（係合フレーム部材）
【図１】
2005134585.tif 000003
【図２】
2005134585.tif 000004
【図３】
2005134585.tif 000005
【図４】
2005134585.tif 000006
【図５】
2005134585.tif 000007
【図６】
2005134585.tif 000008
【図７】
2005134585.tif 000009